(57)【要約】【課題】建物内の侵入者警戒エリアをユーザーが容易に把握できること。【解決手段】侵入者を検知する複数のセンサ端末と通信するセンサ通信手段１１と、ユーザーから通信相手となるセンサ端末の選択操作を受け付ける操作手段１２と、警戒状態及び警報内容を表示する表示手段１３と、センター装置と通信しデータを取得するセンター通信手段１４と、センター装置から取得したデータを含む各種データを記憶する記憶手段１５を備え、センター通信手段１４がセンター装置から取得するデータには防犯装置が監視する建物の間取り情報を含み、表示手段１３は警戒状態及び警報内容を表示する際に、建物の間取り図を合わせて表示する防犯装置を提供することが可能となる。【選択図】図１
2007128283.tif 000002
【特許請求の範囲】
【請求項１】
侵入者を検知する複数のセンサ端末と通信するセンサ通信手段と、ユーザーから通信相手となるセンサ端末の選択操作を受け付ける操作手段と、警戒状態及び警報内容を表示する表示手段と、センター装置と通信しデータを取得するセンター通信手段と、前記センター通信手段がセンター装置から取得したデータを含む各種データを記憶する記憶手段とを備え、前記センター通信手段がセンター装置から取得するデータには防犯装置が監視する建物の間取り情報を含み、前記表示手段は警戒状態及び警報内容を表示する際に、前記建物の間取り図を合わせて表示する防犯装置。
【請求項２】
前記表示手段は、前記選択手段によって選択されたセンサ端末の監視するエリアを前記間取り図上に区別して表示できるようにした請求項１に記載の防犯装置。
【請求項３】
前記操作手段はタッチパネルを備え、通信相手となるセンサ端末の選択操作を、間取り図を表示した画面のタッチ操作で行なうようにした請求項２に記載の防犯装置。
【請求項４】
前記センサ端末が侵入者を検知した際に、前記表示手段は侵入者を検知したエリアを前記間取り図上に区別して表示できるようにした請求項１に記載の防犯装置。
【請求項５】
前記センター通信手段がセンター装置から取得するデータに、防犯装置が監視する建物の部屋番号と各部屋に設置されるセンサ端末の端末番号の対応情報を含む請求項１に記載の防犯装置。
【請求項６】
前記防犯装置は、侵入者を検知した際に通信回線を通じて通報を行なう通報手段を備え、前記通報手段が通報を行なう際は前記間取り情報と前記侵入者が検知された部屋の情報を含めて通報を行なう請求項１に記載の防犯装置。
【請求項７】
請求項１〜６のいずれか１項に記載の防犯装置の手段の少なくとも一部としてコンピュータを機能させるためのプログラム。
【発明の詳細な説明】
【技術分野】
【０００１】
本発明は、建物の内外に設置したセンサ端末が侵入者を検知した際、報知を行なう防犯装置、及び、プログラムに関するものである。
【背景技術】
【０００２】
従来、この種の防犯装置では、センサ端末が侵入者を検知した際に、予め登録しておいた通報先に電話等で通報を行なったり、警報音で報知したりするものが考案されている（例えば特許文献１参照）。
【０００３】
これら従来の防犯装置では、警戒動作を行なう際に建物のエリアによって侵入者の検知を有効とするか無効にするかユーザーが選択できるようにしたものがある。例えば、外出時には、すべてのセンサ端末の検知を有効とし、在宅時には目に付きにくい場所に設置したセンサ端末のみの検知を有効とすることができる。このようにして警戒するエリアを使い分けることで、在宅時に家人を誤って侵入者として検出するなどの誤動作を防止することができる。
【特許文献１】特開平０６−１１９５７５号公報
【発明の開示】
【発明が解決しようとする課題】
【０００４】
これら従来の防犯装置では、検知を有効とするセンサの選択操作は、各センサ端末やセンサ端末のグループごとに割り当てられた操作ボタンで行なうことが多い。しかしながら防犯装置の操作ボタンは画一的に並べられたものであるため、ボタンを操作することで実際に建物のどのエリアの検知が有効になっているのか分かりづらく、誤って検知を無効としてしまったことにより防犯機能が果せなかったり、逆に、誤って検知を有効としてしまったことにより誤報を起こしたりするという課題があった。
【０００５】
本発明は、前記従来の課題を解決するもので、建物のどのエリアの検知が有効になっているのかをユーザーが容易に把握できる防犯装置を提供することを目的とする。
【課題を解決するための手段】
【０００６】
前記従来の課題を解決するために、本発明の防犯装置は、建物の間取り図を表示し侵入者の検知が有効になっているエリアと無効になっているエリアを区別して表示できるようにした。これにより建物のどのエリアの検知が有効になっているのかをユーザーが容易に把握できる防犯装置を提供することが可能となる。
【発明の効果】
【０００７】
本発明の防犯装置、及び、プログラムは、侵入者の検知が有効になっているエリアと無効になっているエリアを、建物の間取り図上に区別して表示することができるため、検知が有効なエリアをユーザーが容易に把握できる防犯装置を提供することが可能となる。
【発明を実施するための最良の形態】
【０００８】
第１の発明は、侵入者を検知する複数のセンサ端末と通信するセンサ通信手段と、ユーザーから通信相手となるセンサ端末の選択操作を受け付ける操作手段と、警戒状態及び警報内容を表示する表示手段と、センター装置と通信しデータを取得するセンター通信手段と、センター通信手段がセンター装置から取得したデータを含む各種データを記憶する記憶手段を備え、センター通信手段がセンター装置から取得するデータには防犯装置が監視する建物の間取り情報を含み、表示手段は警戒状態及び警報内容を表示する際に、建物の
間取り図を合わせて表示するよう構成したものである。
【０００９】
これにより、ユーザーは間取り図を見ながらセンサ端末の選択操作を行なえるため、検知が有効なエリアをユーザーが容易に把握できる防犯装置を提供することが可能となる。
【００１０】
第２の発明は、特に、第１の発明において、表示手段は選択されたセンサ端末の監視するエリアを建物の間取り図上に区別して表示できるようにしたものである。これにより、ユーザーは表示された間取り上で侵入者の検知が有効になったエリアを確認できるため、検知が有効なエリアをユーザーが容易に把握できる防犯装置を提供することが可能となる。
【００１１】
第３の発明は、特に、第２の発明において、操作手段はタッチパネルを備え、通信相手となるセンサ端末の選択操作を間取り図を表示した画面のタッチ操作で行なうよう構成したものである。これにより、ユーザーは画面上に表示された間取り図にタッチすることで侵入者の検知を有効にするエリアを選択できるため、検知が有効なエリアをユーザーが容易に把握できるとともに、検知を有効にするエリアをユーザーが容易に選択できる防犯装置を提供することが可能となる。
【００１２】
第４の発明は、特に、第１の発明において、センサ端末が侵入者を検知した際に、表示手段は侵入者を検知したエリアを間取り図上に区別して表示できるよう構成したものである。これにより、検知が有効なエリアをユーザーが容易に把握できるとともに、侵入者を検知したエリアも容易に把握できる防犯装置を提供することが可能となる。
【００１３】
第５の発明は、特に、第１の発明において、センター通信手段がセンター装置から取得するデータに、防犯装置が監視する建物の部屋番号と各部屋に設置されるセンサ端末の端末番号の対応情報を含むよう構成したものである。これにより、防犯装置を設置する際に、部屋番号と端末番号の紐付け作業が軽減されるため、検知が有効なエリアをユーザーが容易に把握できるとともに、設置作業が容易な防犯装置を提供することが可能となる。
【００１４】
第６の発明は、特に、第１の発明において、侵入者を検知した際に通信回線を通じて通報を行なう通報手段を備え、通報手段が通報を行なう際は間取り情報と侵入者が検知された部屋の情報を含めて通報を行なうよう構成したものである。これにより、通報動作を行なう際に間取り情報と侵入されたエリアの情報を通報できるため、検知が有効なエリアをユーザーが容易に把握できるとともに、通報を受信した者は建物の間取りと侵入者を検知したエリアを把握できる防犯装置を提供することが可能となる。
【００１５】
第７の発明は、第１〜第６のいずれか１つの発明における防犯装置の手段の少なくとも一部としてコンピュータを機能させるためのプログラムである。これにより、電気・情報機器、コンピュータ、サーバー等のハードリソースを協働させて、防犯装置の少なくとも一部を容易に実現することができる。また、記憶媒体に記憶したり、通信回線を用いてプログラムを配信したりすることでプログラムの配布やインストール作業が簡単にできる。
【００１６】
以下、本発明の実施の形態について、図面を参照しながら説明する。なお、この実施の形態によって本発明が限定されるものではない。
【００１７】
（実施の形態１）
図１は、本発明の実施の形態１における防犯装置の構成を示すブロック図である。
【００１８】
図１において、１０は防犯装置である。また、２０Ａ〜２０Ｘはセンサ端末であり、侵入者を検知するため、玄関扉や窓等に設置される開閉センサや、人体の発する赤外線を検
知する人感センサ等のセンサを内蔵している。センサ端末２０Ａ〜２０Ｘは、個々のセンサ端末を識別する端末番号が設定されており、侵入者を検知すると端末番号を含む検知信号を送信する。検知信号を受信する防犯装置１０は、センサ番号によりどのセンサ端末が侵入者を検知したかが分かる。
【００１９】
防犯装置１０において、１１はセンサ端末２０Ａ〜２０Ｘが送信する検知信号を受信するセンサ通信手段である。１２は操作手段であり、ユーザーから侵入者の検知を有効とするセンサ端末２０Ａ〜２０Ｘを選択操作する。１３は表示手段であり、現在の警戒状態を表示したり、侵入者を検知した場合は警報内容を表示したりする。
【００２０】
１４はセンター通信手段であり、通信回線９０を通じてセンター装置３０と通信することで、防犯装置が設置される建物の間取り情報と、各部屋に設置されるセンサの対応情報を取得する。１５は記憶手段であり、センター装置から取得するデータの他、センター装置が防犯装置を特定するためのＩＤも記憶している。センター装置はこのＩＤに基づいて防犯装置を特定し、間取り情報と各部屋に設置されるセンサの対応情報を送信する。
【００２１】
侵入者を検知したセンサ端末２０Ａ〜２０Ｘから送信された検知信号をセンサ通信手段１１が受信すると、表示手段１３は侵入者を検知した旨表示するが、このとき、センター通信手段１４が通信回線９０を通じて、センター装置３０他の通報先に通報を行なうようにしても良い。また、表示や通報動作以外に警報音を鳴らすように防犯装置１０を構成してもよい。
【００２２】
防犯装置１０の各構成要素は相互に通信可能となるよう通信バス１００に接続されている。
【００２３】
次に、本発明の実施の形態における防犯装置において、センター装置から取得するデータについて説明する。
【００２４】
図２は、本発明の実施の形態における防犯装置がセンター装置から取得する間取り情報を示す図である。この情報は画像情報（ビットマップなど）でもよいし、テキスト情報で構成されてもよい。
【００２５】
間取り情報には、部屋数、各部屋の部屋番号、各部屋の形状、各部屋の位置関係が分かるレイアウト情報が含まれている。また、間取り情報の中には、各部屋の部屋名（図２の括弧内に記載）を含めても良いし、レイアウト情報は平面図で表した情報であっても、立面図で表した情報であってもよい。
【００２６】
図３は、本発明の実施の形態における防犯装置がセンター装置から取得する各部屋に設置されるセンサの対応情報を示す図である。
【００２７】
図３に示す対応情報から、部屋番号１（玄関）には端末番号１のセンサ端末が対応することが分かる。また、部屋番号５（トイレ）には対応するセンサ端末がないことが分かる。尚、広い部屋のような場合には、一つの部屋に複数のセンサ端末を対応させても良いし、逆に、部屋がつながっているような場合は、一つのセンサ端末に複数の部屋を対応させても良い。
【００２８】
次に、本発明の実施の形態における防犯装置において、操作手段と表示手段の構成例を説明する。
【００２９】
図４は、本発明の実施の形態における防犯装置の警戒表示画面の例を示す図である。
【００３０】
図４において、防犯装置１０は操作手段としてタッチパネル１１Ａを、表示手段として液晶パネル１２Ａを備えている。
【００３１】
液晶パネル１２Ａは、間取り図を表示すると共に、侵入者の検知を有効としているセンサ端末に対応する部屋を区別して表示している。図４の例では網掛け表示された部屋で、侵入者の検知が有効になっている（警戒中である）ことを表しているが、色を変えたり、アイコンなどの表示を行なうことで区別しても良い。これによりユーザーは間取り図上で、現在警戒中の部屋を確認できる。
【００３２】
図４に示す例では、玄関、サニタリー、浴室が警戒中になっているおり、ダイニングキッチン、リビング、和室、廊下、トイレは警戒対象になっていない（警戒解除中である）ことが分かる。
【００３３】
ユーザーは、各部屋の警戒設定操作、或いは、警戒解除操作を行なう場合、タッチパネル１１Ａを用いて操作する。警戒解除中である部屋をタッチ操作した場合は対応する部屋は警戒中になり、警戒中である部屋をタッチ操作した場合は対応する部屋は警戒解除される。ここで、複数、或いは、すべての部屋を一斉に警戒設定操作、或いは、警戒解除操作できるようなボタンを画面上に設けてもおいても良い。
【００３４】
図５は、本発明の実施の形態における防犯装置の警報表示画面の例を示す図である。
【００３５】
警戒中の部屋に設置したセンサ端末から検知信号を受信した場合、防犯装置１０は液晶パネル１２Ａに表示している間取り図上で、侵入者を検知したセンサ端末に対応する部屋を区別して表示する。図５の例では斜線で表示された浴室が、侵入者を検知したことを表しているが、色を変えたり、アイコンなどの表示を行なったりすることで区別しても良い。ユーザーは間取り図上で侵入者を検知したセンサ端末に対応する部屋、すなわち、侵入者のいる可能性が高い部屋を確認できる。
【００３６】
図４に示す例では、浴室に侵入者がいる可能性が高いことが分かり、不用意に近づかないなどの注意を払うことができる。尚、複数の部屋で侵入者を検知した場合は、該当する部屋をすべて区分して表示しても良いし、最初に検知した部屋だけを区分して表示しても良い。
【００３７】
尚、侵入者を検知した際に通信回線を通じて通報手段（図示せず）で通報を行ない、通報する情報の中に間取り情報と侵入された部屋の情報を含めれば、通報を受信した者は建物の間取りと侵入者を検知した部屋を把握することができる。例えば、住人の携帯電話に対して、侵入者を検知したことと、侵入者を検知した部屋を通報すれば、住人は警備会社などに巡回の指示を出したり、帰宅した際にその部屋に侵入者がいないか、物色された形跡がないかなど注意を払ったりすることができる。
【００３８】
次に、本発明の実施の形態における防犯装置の警戒設定操作と警戒解除操作のフローについて説明する。
【００３９】
図６は、本発明の実施の形態における防犯装置の警戒設定操作と警戒解除操作のフローを示す図である。
【００４０】
ユーザーが画面をタッチ操作すると（Ｓ６０１）、タッチ操作された部屋が警戒中であるか判断する（Ｓ６０２）。この判断は、記憶手段が保持している状態テーブルにより行なう。
【００４１】
タッチ操作された部屋が警戒中であった場合は、警戒を解除し（Ｓ６０３）、画面に警戒を解除している旨表示にする（Ｓ６０４）。また、記憶手段の保持している状態テーブルを警戒解除中に書き換える。
【００４２】
また、タッチ操作された部屋が警戒解除中であった場合は、警戒中に移行し（Ｓ６０５）、画面に警戒中である旨表示にする。また、記憶手段の保持している状態テーブルを警戒中に書き換える。
【００４３】
図７は、本発明の実施の形態における防犯装置の記憶手段が保持している状態テーブルの構成例を示す図である。
【００４４】
このテーブルは各センサ端末が設置された部屋が警戒中であるか警戒解除中であるかを表しており、図７に示した例では、玄関、浴室、サニタリーが警戒中であることがわかる。
【００４５】
次に、本発明の実施の形態における防犯装置における警報動作フローについて図８を用いて説明する。
【００４６】
センサ端末から検知信号を受信すると（Ｓ８０１）、検知信号に含まれるセンサ番号から、対応する部屋が警戒中であるか判断する（Ｓ８０２）。警戒中であった場合は、対応する部屋で侵入者を検知した旨警報表示を行ない（Ｓ８０３）、警戒中でなかった場合は何も表示を変えない。
【００４７】
尚、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４８】
以上のように、本発明の防犯装置、プログラムは、侵入者の検知が有効になっているエリアと無効になっているエリアを、建物の間取り図上に区別して表示することができるため、検知が有効なエリアをユーザーが容易に把握できる防犯装置を提供することが可能となるものであり、家庭用、或いは、業務用の防犯装置などに適用することができる。
【図面の簡単な説明】
【００４９】
【図１】本発明の実施の形態１における防犯装置の構成を示すブロック図
【図２】本発明の実施の形態１における防犯装置がセンター装置から取得する間取り情報を示す図
【図３】本発明の実施の形態１における防犯装置がセンター装置から取得する各部屋に設置されるセンサの対応情報を示す図
【図４】本発明の実施の形態１における防犯装置の警戒表示画面の例を示す図
【図５】本発明の実施の形態１における防犯装置の警報表示画面の例を示す図
【図６】本発明の実施の形態１における防犯装置の警戒設定操作と警戒解除操作のフローを示す図
【図７】本発明の実施の形態１における防犯装置の記憶手段が保持している状態テーブルの構成例を示す図
【図８】本発明の実施の形態１における防犯装置の警報動作のフローを示す図
【符号の説明】
【００５０】
１０  防犯装置
１１  センサ通信手段
１２  操作手段
１３  表示手段
１４  センター通信手段
１５  記憶手段
２０Ａ〜２０Ｘ  センサ端末
３０  センター装置
９０  通信回線
【図１】
2007128283.tif 000003
【図２】
2007128283.tif 000004
【図３】
2007128283.tif 000005
【図４】
2007128283.tif 000006
【図５】
2007128283.tif 000007
【図６】
2007128283.tif 000008
【図７】
2007128283.tif 000009
【図８】
2007128283.tif 000010